(57)【要約】【課題】貯留タンクから抜き出したメダルを確実にオーバーフロータンクに格納する。【解決手段】傾斜ボックス３１の内部に、ギア機構４５、モータ４６を配設し、貯留タンク２７内にベルトコンベア４７を配設する。制御部４０は、メダルセンサ４８からディスク駆動信号が入力されているときに、払出要求信号が入力されると、モータギア５０が反時計方向に回転するようにモータ４６の駆動を制御して、ロータリディスク３２を駆動する。制御部４０は、メダルセンサ４８からコンベア駆動信号が入力されているときには、モータギア５０が時計方向に回転するようにモータ４６の駆動を制御して、ベルトコンベア４７を駆動する。ベルトコンベア４７により搬送されたメダル２３は、抜出開口２７ａから抜き出され、オーバーフロータンク３４に格納される。【選択図】図１１
2007252594.tif 000002
【特許請求の範囲】
【請求項１】
メダルを貯留する貯留タンクと、前記貯留タンクの下方に設けられ、モータの駆動によって回転して前記貯留タンク内のメダルを１枚ずつメダル受け皿に払い出すロータリディスクと、を有するホッパー装置が筐体内に設けられた遊技機において、
前記ロータリディスクよりも上方に設けられ、前記貯留タンクに貯留されたメダルを搬送するベルトコンベアと、
前記貯留タンクに形成され、前記ベルトコンベアによって搬送されたメダルを前記貯留タンクから前記メダル受け皿以外であって前記筐体内の所定位置に抜き出す抜出開口と、を備えたことを特徴とする遊技機。
【請求項２】
前記モータの駆動力を前記ロータリディスクまたは前記ベルトコンベアに選択的に伝達するギア機構と、
前記貯留タンクに貯留されているメダルの量を検出する検出手段と、
前記検出手段により検出されたメダル量が予め設定された設定量以下のときには前記モータの駆動力を前記ロータリディスクに伝達させ、前記検出手段により検出されたメダル量が前記設定量を超えているときには前記モータの駆動力を前記ベルトコンベアに伝達させる伝達制御手段と、を備えたことを特徴とする請求項１記載の遊技機。
【請求項３】
前記ベルトコンベア駆動時に前記メダルを前記メダル受け皿に払い出すための払出要求信号が入力されたときには、前記伝達制御手段は、前記モータの駆動力を前記ロータリディスクに伝達させることを特徴とする請求項２記載の遊技機。
【請求項４】
前記抜出開口から抜き出されたメダルを格納する格納タンクを備えたことを特徴とする請求項１ないし３いずれか１つ記載の遊技機。
【発明の詳細な説明】
【技術分野】
【０００１】
本発明は、パチンコ店などの遊技場に設置して使用されるスロットマシンなどの遊技機に関するものである。
【背景技術】
【０００２】
本明細書中では遊技媒体としてメダルを用いて説明するが、遊技媒体としてはコインなど他の媒体も含む。
【０００３】
パチンコ店などの遊技場に設置して使用されるスロットマシンは、メダルに一定の価値が与えられて、遊技を行って獲得したメダルを種々の景品に交換することができる。スロットマシンで遊技を行うには、メダル投入口にメダルを投入して行う。
【０００４】
スロットマシンの内部には、メダル投入口から投入されたメダルが正規のメダルか否かをセレクトするメダルセレクタが設けられており、メダル投入口から投入されたメダルは、メダルセレクタを通ってホッパー装置の貯留タンクに貯留される。メダル投入口から多量のメダルが連続して投入された場合には、メダルがメダルセレクタで詰まってしまうことがあるため、特許文献１では、多量のメダルが連続して投入された場合にも、メダルを送り出し可能な揚送式メダル送出し装置が提案されている。
【０００５】
スロットマシンの内部には、遊技を行って入賞を得たときに対価分に応じた枚数のメダルを払出口に払い出すためのホッパー装置が設けられている。ホッパー装置は、メダルを貯留する貯留タンク、ロータリディスク、モータ等を備えている。ロータリディスクは、貯留タンクに貯留されているメダルを受け入れる複数の受入部を備え、回転可能に設けられており、モータにより駆動する。スロットマシンの制御を行う制御部は、メダルを払い出すための払出要求信号が入力された場合（例えば、遊技を行って入賞を得たとき等）には、モータを駆動してロータリディスクを回転させる。ロータリディスクが回転されると、各受入開口に受け入れたメダルが払出口に払い出される。
【０００６】
また、スロットマシン内部には、貯留タンクに貯留したメダルが溢れた場合に、その溢れたメダルを格納するオーバーフロータンクが設けられている。
【特許文献１】特開２００３−２９０４３０号公報
【発明の開示】
【発明が解決しようとする課題】
【０００７】
しかしながら、スロットマシンの機種によっては、オーバーフロータンクを配設する位置が異なるため、貯留タンクから溢れたメダルがオーバーフロータンクに格納されずに、スロットマシンの内部で散乱してしまうことがあり、問題となっていた。
【０００８】
本発明は、上記課題を解決するためになされたものであり、貯留タンクから抜き出したメダルを確実にオーバーフロータンクに格納することができる遊技機を提供することを目的とする。
【課題を解決するための手段】
【０００９】
上記目的を達成するために、本発明の遊技機は、メダルを貯留する貯留タンクと、前記貯留タンクの下方に設けられ、モータの駆動によって回転して前記貯留タンク内のメダルを１枚ずつメダル受け皿に払い出すロータリディスクと、を有するホッパー装置が筐体内に設けられた遊技機において、前記ロータリディスクよりも上方に設けられ、前記貯留タンクに貯留されたメダルを搬送するベルトコンベアと、前記貯留タンクに形成され、前記ベルトコンベアによって搬送されたメダルを前記貯留タンクから前記メダル受け皿以外であって前記筐体内の所定位置に抜き出す抜出開口と、を備えたことを特徴とする。なお、前記ベルトコンベアは、前記ロータリディスクの上面に平行な方向に前記メダルを搬送することが好ましい。
【００１０】
また、前記モータの駆動力を前記ロータリディスクまたは前記ベルトコンベアに選択的に伝達するギア機構と、前記貯留タンクに貯留されているメダルの量を検出する検出手段と、前記検出手段により検出されたメダル量が予め設定された設定量以下のときには前記モータの駆動力を前記ロータリディスクに伝達させ、前記検出手段により検出されたメダル量が前記設定量を超えているときには前記モータの駆動力を前記ベルトコンベアに伝達させる伝達制御手段と、を備えることが好ましい。なお、前記検出手段としては、光センサ、重量センサ等が挙げられる。また、前記予め設定された設定量としては、それ以上前記貯留タンクにメダルを貯留すると、前記抜出開口からメダルが抜き出されてしまう量であることが好ましく、さらには、変更可能であることが好ましい。
【００１１】
さらに、前記ベルトコンベア駆動時に前記メダルを前記メダル受け皿に払い出すための払出要求信号が入力されたときには、前記伝達制御手段は、前記モータの駆動力を前記ロータリディスクに伝達させることが好ましい。
【００１２】
また、前記抜出開口から抜き出されたメダルを格納する格納タンクを備えることが好ましい。
【発明の効果】
【００１３】
本発明の遊技機によれば、メダルを貯留する貯留タンクと、貯留タンクの下方に設けられ、モータの駆動によって回転して貯留タンク内のメダルを１枚ずつメダル受け皿に払い出すロータリディスクと、を有するホッパー装置が筐体内に設けられた遊技機において、ロータリディスクよりも上方に設けられ、貯留タンクに貯留されたメダルを搬送するベルトコンベアと、貯留タンクに形成され、ベルトコンベアによって搬送されたメダルを貯留タンクからメダル受け皿以外であって筐体内の所定位置に抜き出す抜出開口と、を備えたから、貯留タンク内のロータリディスクよりも上方に位置するメダルを、確実に貯留タンクの外部であって筐体内の所定位置に抜き出すことができ、貯留タンクからメダルが溢れることを確実に防止することができる。
【００１４】
また、モータの駆動力をロータリディスクまたはベルトコンベアに選択的に伝達するギア機構と、貯留タンクに貯留されているメダルの量を検出する検出手段と、検出手段により検出されたメダル量が予め設定された設定量以下のときにはモータの駆動力をロータリディスクに伝達させ、検出手段により検出されたメダル量が設定量を超えているときにはモータの駆動力をベルトコンベアに伝達させる伝達制御手段と、を備えたから、１つのモータでロータリディスクとベルトコンベアとを駆動することができるため、部品数の増加を防ぐことができる。
【００１５】
さらに、ベルトコンベア駆動時にメダルをメダル受け皿に払い出すための払出要求信号が入力されたときには、伝達制御手段は、モータの駆動力をロータリディスクに伝達させるから、通常の遊技に支障が出ることがない。
【００１６】
また、抜出開口から抜き出されたメダルを格納する格納タンクを備えたから、抜出開口から抜き出されたメダルを確実に格納タンクに格納することができ、筐体内にメダルが散乱することがない。
【発明を実施するための最良の形態】
【００１７】
図１に示すように、遊技機の１実施例であるスロットマシン（遊技機）１０は、筐体１０ａの前面に表示窓１１が設けられており、表示窓１１の奥には、第１〜第３リール１２〜１４の一部が露呈している。
【００１８】
周知のように、第１〜第３リール１２〜１４の外周には、複数種類の当選絵柄を含む絵柄が一定ピッチで配列され、１リールにつき３個の絵柄は、表示窓１１を通して観察することができる。
【００１９】
表示窓１１の下には、メダルを投入するためのメダル投入口１５、スタートレバー１６、リールの動作を停止させるための第１〜第３ストップボタン１７〜１９などが設けられている。筐体１０ａの下側端部の前側には、メダル受け皿２０が設けられ、筐体１０ａの下側端部の前面には、獲得したメダル２３を前記メダル受け皿２０に払い出す払出口２１が設けられている。
【００２０】
メダル投入口１５に所定枚数のメダルを投入してスタートレバー１６を操作すると、第１〜第３リール１２〜１４が一斉に回転する。その後、第１〜第３ストップボタン１７〜１９を順番に操作することで第１〜第３リール１２〜１４の回転が停止する。このとき、各リール毎に表示された絵柄を一個ずつ組み合わせてなる、例えば横３本斜め２本の合計５本の入賞有効ラインのうちのいずれかに、予め決められた絵柄が揃うことで、その入賞の対価に応じた枚数のメダル２３が払出口２１から払い出される。
【００２１】
図２に示すように、スロットマシン１０の内部下方には、ホッパー装置２２が設けられる。ホッパー装置２２には、前面下部に、メダル２３を払い出すためのホッパー出口２４が露呈して設けられている。ホッパー出口２４と払出口２１との間には案内通路２５が設けられており、ホッパー装置２２から払い出されるメダル２３はホッパー出口２４から案内通路２５を通って払出口２１に案内される。
【００２２】
図３及び図４に示すように、ホッパー装置２２は、貯留タンク２７と、メダル払出ユニット２８とを備えて構成されている。貯留タンク２７は、多数のメダル２３を貯留するものであり、上方のメダル溜め部２９から下方の供給口３０に向けてメダル２３を供給する。
【００２３】
メダル払出ユニット２８は、上面３１ａが傾斜した傾斜ボックス３１を備えている。傾斜ボックス３１の上面３１ａには、輪郭円形の凹部３１ｂが形成されており、凹部３１ｂには、ロータリディスク３２が回転自在に支持されている。
【００２４】
ロータリディスク３２は、傾斜ボックス３１の上面３１ａに対して垂直な軸を中心として回転する。このロータリディスク３２には、供給口３０に対峙する面３２ａの同一半径上に、円形凹状をした複数の受入部３３が６０°ピッチで６個並設されている。各受入部３３は、供給口３０から供給されるメダル２３を一定の姿勢で１個ずつ受け入れる。
【００２５】
ロータリディスク３２は、メダル払出ユニット２８に設けられたギア機構４５（図６参照）を介してモータ４６（図６参照）の駆動が伝達されることで反時計方向に回転する。
【００２６】
貯留タンク２７の右方には、後述するベルトコンベア４７により搬送されたメダル２３を格納するオーバーフロータンク（格納タンク）３４が配設されている。貯留タンク２７の右側面には、ベルトコンベア４７を挿通し、ベルトコンベア４７により搬送されたメダル２３をオーバーフロータンク３４に向けて抜き出す抜出開口２７ａが形成されている。なお、図４においては、図面の乱雑を避けるため、ベルトコンベア４７の図示を省略している。
【００２７】
図５及び図６に示すように、ロータリディスク３２の外周には、受入部３３に受け入れたメダル２３を排出するための出口３５が、受入部３３と同じ数だけ、周方向に向けて一定ピッチで設けられている。各出口３５は、ロータリディスク３２の内部で各受入部３３に個別に繋がっており、受入部３３に受け入れたメダル２３をロータリディスク３２の径方向に排出する。
【００２８】
凹部３１ｂには、ロータリディスク３２の外周に対峙する壁に、排出口３６が設けられている。排出口３６には、ホッパー出口２４との間でメダル２３を流下させるために傾斜した排出通路３７が繋がっている。排出通路３７は、貯留タンク２７の下面との間で断面横長矩形のトンネル状に形成されており、内部にはメダル通過検出部３８が配されている。メダル通過検出部３８は、メダル２３の通過を検出するものであり、公知のカウントアームと光電センサとから構成され、メダル２３の排出される数に応じてカウント信号を制御部（伝達制御手段）４０に送る。この制御部４０は、スロットマシン１０を統括的に制御する。
【００２９】
ロータリディスク３２は、メダル払出ユニット２８に設けられたギア機構４５を介してモータ４６の駆動が伝達されることで反時計方向に回転し、回転中に、各出口３５が排出口３６に対面する位置に回転するごとに、対面する出口３５からメダル２３を１枚ずつ排出口３６に排出する。
【００３０】
制御部４０は、メダル通過検出部３８から入力されたカウント信号をカウント回路４１でカウントし、カウント回路４１の値がその時点のメダル２３の排出枚数と一致した場合に、ドライバ４２を介してモータ４６の駆動を停止する制御を行う。また、制御部４０にはタイマ回路４３が接続されており、モータ４６を駆動してから、一定時間経過後、及びカウント信号を得た時点から一定時間経過後に、次のカウント信号が得られない場合には、貯留タンク２７にメダル２３が補給されていないと判断してモータ４６の駆動を停止するエラー制御を行う。
【００３１】
図６に示すように、傾斜ボックス３１の内部には、ギア機構４５とモータ４６とが配設され、傾斜ボックス３１の上面３１ａから露出するようにベルトコンベア４７が配設されている。ギア機構４５は、モータ４６の駆動力を、ロータリディスク３２またはベルトコンベア４７に選択的に伝達するものである。ベルトコンベア４７は、傾斜ボックス３１の上面３１ａに平行な方向にメダル２３を搬送するように配設されている。ベルトコンベア４７は、奥行き方向及び幅方向において、メダル２３を上面に載せることができるサイズで形成されている（図１０参照）。
【００３２】
貯留タンク２７内には、抜出開口２７ａよりも下方に、メダル２３を検出するメダルセンサ（検出手段）４８が配設されている。メダルセンサ４８は、制御部４０に接続されている。
【００３３】
メダルセンサ４８は、光を発光する発光部と光を受光する受光部とを備えた光センサから構成されており、発光部は貯留タンク２７の内壁に向けて光を発光している。メダルセンサ４８の周囲に光を遮るものが無いときには、発光部から発光された光は、貯留タンク２７の内壁で反射し受光部で受光される。メダルセンサ４８は、受光部で光を受光しているときには、制御部４０にディスク駆動信号を出力する。制御部４０には、モータ４６が接続されており、制御部４０は、ディスク駆動信号が入力されているときに、メダル２３をメダル受け皿２０（図２参照）に払い出す払出要求信号が入力されたことに応答して、モータ４６の駆動を制御して、ロータリディスク３２を駆動する。
【００３４】
メダルセンサ４８の周囲にメダル２３がある場合には、発光部から発光された光が受光部で受光されることがない。メダルセンサ４８は、受光部で所定期間（例えば、３秒間）光を受光しないときには、制御部４０にコンベア駆動信号を出力する。制御部４０は、コンベア駆動信号が入力されたことに応答して、モータ４６の駆動を制御して、ベルトコンベア４７を駆動する。
【００３５】
図７、図８及び図９に示すように、ギア機構４５は、モータ４６のモータシャフトに取り付けられたモータギア５０と、モータ４６の駆動力をロータリディスク３２に伝達する第１〜第３ディスク用ギア５１〜５３と、モータ４６の駆動力をベルトコンベア４７に伝達するコンベア用ギア５４と、第１傘歯ギア５５と、第２傘歯ギア５６と、モータ４６の駆動力をロータリディスク３２とベルトコンベア４７とのいずれに伝達するかを選択する選択ギア５７と、を備える。各ギア５１〜５７は、図示しない回転軸に回転可能に取り付けられている。なお、図７は、選択ギア５７がディスク駆動位置に位置するときの上面図及び正面図であり、図８は、選択ギア５７がディスク駆動位置に位置するときの斜視図であり、図９は、選択ギア５７がコンベア駆動位置に位置するときの上面図及び正面図である。
【００３６】
第３ディスク用ギア５３の上面には、回転中心に取付軸５３ａが形成されており、取付軸５３ａは、ロータリディスク３２の取付孔に圧入されている。これにより、第３ディスク用ギア５３の回転により、ロータリディスク３２が回転することとなる。傾斜ボックス３１の凹部３１ｂには、第３ディスク用ギア５３を挿通するための挿通孔３１ｃ（図６参照）が形成されている。
【００３７】
第２傘歯ギア５６には、回転中心に取付軸５６ａが形成されており、この取付軸５６ａは、第１ローラ６１のローラ孔６１ａに圧入される。傾斜ボックス３１の内部には、第２ローラ６２が配設されており、第２ローラ６２は、支軸（図示せず）に回転可能に軸支されている。ベルトコンベア４７は、第１ローラ６１と第２ローラ６２とに巻き掛けられている。これにより、第２傘歯ギア５６の回転により、ベルトコンベア４７が回転することとなる。このとき、ベルトコンベア４７は、図９（Ｂ）における時計方向に回転される。
【００３８】
選択ギア５７の上面には、回転中心に挿通軸５７ａが形成されている。この挿通軸５７ａは、傾斜ボックス３１の内部であって選択ギア５７の上方に配設された案内板６４の案内孔６４ａに挿通されている。選択ギア５７は、モータギア５０に噛合したまま、モータギア５０の回転軸を中心に回転可能に設けられている。モータギア５０が時計方向に回転されたときに、選択ギア５７は、挿通軸５７ａが案内孔６４ａを案内されて、コンベア用ギア５４に噛合するコンベア駆動位置（図９参照）に位置する。一方、モータギア５０が反時計方向に回転されたときに、選択ギア５７は、挿通軸５７ａが案内孔６４ａを案内されて、第１ディスク用ギア５１に噛合するディスク駆動位置（図７及び図８参照）に位置する。
【００３９】
本実施形態では、制御部４０は、コンベア駆動信号が入力されているときには、モータギア５０が時計方向に回転するようにモータ４６の駆動を制御し、ディスク駆動信号が入力されているときに、メダル２３をメダル受け皿２０（図２参照）に払い出す払出要求信号が入力されたときには、モータギア５０が反時計方向に回転するようにモータ４６の駆動を制御するようにされている。また、制御部４０は、コンベア駆動信号が入力されているときに、メダル２３をメダル受け皿２０（図２参照）に払い出す払出要求信号が入力されたときには、払出要求信号の入力を優先し、モータギア５０が反時計方向に回転するようにモータ４６の駆動を制御するようにされている。これにより、通常の遊技に支障が出ることがない。
【００４０】
モータギア５０は選択ギア５７に噛合し、第１ディスク用ギア５１は第２ディスク用ギア５２に噛合し、第２ディスク用ギア５２は第３ディスク用ギア５３に噛合し、コンベア用ギア５４は第１傘歯ギア５５に噛合し、第１傘歯ギア５５は第２傘歯ギア５６に噛合している。
【００４１】
選択ギア５７がディスク駆動位置に位置するときには、選択ギア５７は第１ディスク用ギア５１に噛合しており、モータギア５０、選択ギア５７、第１ディスク用ギア５１、第２ディスク用ギア５２、第３ディスク用ギア５３を介して、モータ４６の駆動力が、ロータリディスク３２に伝達される。
【００４２】
第２ディスク用ギア５２は、第１段ギア５２ａと第２段ギア５２ｂとの２段ギア構造に形成されており、第２段ギア５２ｂよりもギア径の大きい第１段ギア５２ａが第１ディスク用ギア５１に噛合し、第２段ギア５２ｂが第３ディスク用ギア５３に噛合している。すなわち、第２ディスク用ギア５２で回転速度が減速される。
【００４３】
選択ギア５７がコンベア駆動位置に位置するときには、選択ギア５７はコンベア用ギア５４に噛合しており、モータギア５０、選択ギア５７、コンベア用ギア５４、第１傘歯ギア５５、第２傘歯ギア５６を介して、モータ４６の駆動力が、ベルトコンベア４７に伝達される。
【００４４】
第１傘歯ギア５５は、平歯ギア５５ａと傘歯ギア５５ｂとの２段ギア構造に形成されており、平歯ギア５５ａがコンベア用ギア５４に噛合し、傘歯ギア５５ｂが第２傘歯ギア５６に噛合している。
【００４５】
図１０に示すように、傾斜ボックス３１の上面３１ａには、上記した凹部３１ｂと、ベルトコンベア４７を挿通するコンベア挿通孔３１ｄと、が形成されている。これにより、ロータリディスク３２及びベルトコンベア４７が上面３１ａから露出し、貯留タンク２７内に貯留されたメダル２３は、ロータリディスク３２及びベルトコンベア４７の上に載ることとなる。
【００４６】
次に、上記のように構成されたスロットマシン１０の作用について説明する。メダルセンサ４８の周囲にメダル２３が無いとき（図６参照）には、メダルセンサ４８から制御部４０にディスク駆動信号が出力される。制御部４０は、ディスク駆動信号が入力されているときに、メダル２３をメダル受け皿２０に払い出す払出要求信号が入力されたことに応答して、モータギア５０が反時計方向に回転するようにモータ４６の駆動を制御して、ロータリディスク３２を駆動（回転）する。
【００４７】
モータギア５０が反時計方向に回転すると、選択ギア５７がディスク駆動位置に位置し、モータギア５０、選択ギア５７、第１ディスク用ギア５１、第２ディスク用ギア５２、第３ディスク用ギア５３を介して、ロータリディスク３２が反時計方向に回転する。このロータリディスク３２の反時計方向への回転により、受入部３３に受け入れたメダル２３が、ホッパー出口２４、案内通路２５、払出口２１を通ってメダル受け皿２０に払い出される。
【００４８】
一方、図１１に示すように、メダルセンサ４８の周囲にメダル２３があり、発光部から発光された光が受光部で受光されないときには、メダルセンサ４８から制御部４０にコンベア駆動信号が出力される。制御部４０は、コンベア駆動信号が入力されているときには、モータギア５０が時計方向に回転するようにモータ４６の駆動を制御して（図９参照）、ベルトコンベア４７を駆動（回転）する。
【００４９】
モータギア５０が時計方向に回転すると、選択ギア５７がコンベア駆動位置に位置し、モータギア５０、選択ギア５７、コンベア用ギア５４、第１傘歯ギア５５、第２傘歯ギア５６を介して、ベルトコンベア４７が図１１中Ａ方向に回転する。
【００５０】
ベルトコンベア４７が図１１中Ａ方向に回転すると、ベルトコンベア４７の上面に載っていたメダル２３は、ベルトコンベア４７により抜出開口２７ａに向けて搬送され、抜出開口２７ａから落下して、オーバーフロータンク３４に格納される。そして、貯留タンク２７内のメダル２３の貯留量が、ベルトコンベア４７の回転（オーバーフロータンク３４へのメダル格納）により、メダルセンサ４８の発光部から発光された光が受光部で受光される貯留量まで減少すると、メダルセンサ４８は、ディスク駆動信号を制御部４０に出力する。制御部４０は、ディスク駆動信号が入力されたことに応答して、モータ４６の駆動を停止し、ベルトコンベア４７の回転を停止する。
【００５１】
このように、貯留タンク２７に抜出開口２７ａを形成し、貯留タンク２７内に貯留したメダル２３を抜出開口２７ａに向けて搬送するベルトコンベア４７を設け、抜出開口２７ａから抜き出されたメダル２３をオーバーフロータンク３４に格納させるようにしたから、貯留タンク２７から抜き出したメダル２３を確実にオーバーフロータンク３４に格納することができる。
【００５２】
また、貯留タンク２７内であって抜出開口２７ａよりも下方にメダルセンサ４８を設け、メダルセンサ４８の発光部から発光された光が受光部で受光されないときに、制御部４０はベルトコンベア４７を駆動するから、貯留タンク２７からメダル２３が溢れることを確実に防止することができる。
【００５３】
さらに、制御部４０でモータ４６の回転方向を制御することにより、１つのモータ４６でロータリディスク３２とベルトコンベア４７とを駆動することができるから、部品数の増加を防ぐことができる。
【００５４】
また、制御部４０は、コンベア駆動信号が入力されているときに、払出要求信号が入力されたときには、払出要求信号の入力を優先し、モータギア５０が反時計方向に回転するようにモータ４６の駆動を制御するから、通常の遊技に支障が出ることがない。
【００５５】
なお、上記実施形態では、ベルトコンベア４７を、傾斜ボックス３１の上面３１ａに平行な方向にメダル２３を搬送するように傾斜させて配設したが、これに限定されることなく、ベルトコンベア４７を、水平に配設するようにしてもよく、適宜変更可能である。
【００５６】
また、上記実施形態では、貯留タンク２７の右方にオーバーフロータンク３４を配設し、貯留タンク２７の右側面に抜出開口２７ａを形成したが、オーバーフロータンク３４を配設する位置は貯留タンク２７の右方に限定されることなく、例えば、貯留タンク２７の左方や後方に配設してもよく、オーバーフロータンク３４を配設する位置に応じて、抜出開口２７ａを形成する位置及びベルトコンベア４７を配設する位置を変更する。
【００５７】
さらに、上記実施形態では、ギア機構４５を、モータギア５０、第１〜第３ディスク用ギア５１〜５３、コンベア用ギア５４、第１傘歯ギア５５、第２傘歯ギア５６、選択ギア５７を備えて構成したが、ギアの個数は適宜変更可能である。
【図面の簡単な説明】
【００５８】
【図１】本発明を実施したスロットマシンの外観を示す斜視図である。
【図２】スロットマシンの内部に設けたホッパー装置を示す斜視図である。
【図３】貯留タンクとメダル払出ユニットとを示す斜視図である。
【図４】貯留タンクとメダル払出ユニットとオーバーフロータンクとを示す斜視図である。
【図５】ロータリディスクの要部を示す平面図である。
【図６】貯留タンクと傾斜ボックスとロータリディスクとモータとギア機構とベルトコンベアとメダルセンサとオーバーフロータンクとを示す断面図である。
【図７】選択ギアがディスク駆動位置に位置するときのモータとギア機構とを示す上面図及び正面図である。
【図８】ギア機構とベルトコンベアとローラとを示す斜視図である。
【図９】選択ギアがコンベア駆動位置に位置するときのモータとギア機構とを示す上面図及び正面図である。
【図１０】傾斜ボックスの上面とロータリディスクとベルトコンベアとを示す斜視図である。
【図１１】メダルセンサの位置までメダルが貯留された状態の貯留タンクと傾斜ボックスとロータリディスクとモータとギア機構とベルトコンベアとメダルセンサとオーバーフロータンクとを示す断面図である。
【符号の説明】
【００５９】
１０  スロットマシン（遊技機）
２０  メダル受け皿
２２  ホッパー装置
２３  メダル
２７  貯留タンク
２７ａ  抜出開口
２８  メダル払出ユニット
３２  ロータリディスク
３３  受入部
３４  オーバーフロータンク（格納タンク）
４０  制御部（伝達制御手段）
４５  ギア機構
４６  モータ
４７  ベルトコンベア
４８  メダルセンサ（検出手段）
【図１】
2007252594.tif 000003
【図２】
2007252594.tif 000004
【図３】
2007252594.tif 000005
【図４】
2007252594.tif 000006
【図５】
2007252594.tif 000007
【図６】
2007252594.tif 000008
【図７】
2007252594.tif 000009
【図８】
2007252594.tif 000010
【図９】
2007252594.tif 000011
【図１０】
2007252594.tif 000012
【図１１】
2007252594.tif 000013